【事件の表示】
　特願２００１−３３２４７７「図形処理装置及び方法」拒絶査定不服審判事件〔平成１４年　７月２６日出願公開，特開２００２−２０７７７９〕について，次のとおり審決する。
【結　論】
　本件審判の請求は，成り立たない。
【理　由】
１　手続の経緯
　本願は，平成５年１月１８日に出願した特願平５−６１１３号の一部を平成１３年１０月３０日に新たな特許出願としたものであって，平成１６年１０月２０日付けで拒絶査定がされ，これに対して同年１１月２５日に拒絶査定不服審判の請求がなされるとともに，同年１２月２２日付で手続補正がなされたものである。
　
２　本願発明
　本願の特許請求の範囲の請求項１に記載された発明（以下「本願発明」という。）は次のとおりである。
　「【請求項１】　表示画面上に，あらかじめ登録された複数の投影面を表示する投影面表示手段と，
　表示された複数の投影面から１つの投影面を指示する投影面指示手段と，
　指示された投影面に基づき，所望の３次元図形を２次元図形へ投影変換する投影変換手段と，
　投影変換元として指示する３次元図形及び該複数の投影面とともに，投影変換された２次元図形を，前記表示画面上の異なる領域に表示する投影図表示手段とを有することを特徴とする図形処理装置。」
　
３　引用例
　原査定の拒絶の理由に引用された特開平４−１７１５８９号公報（以下「引用例１」という。）には，図面と共に次の各事項が記載されている。
　
　ア　【産業上の利用分野】
　　「本発明は，グラフィック・ディスプレイ上の立体図（空間図形）を，投影法をもって多方向の平面図形に変換し，これを表示する３次元形状の表示方法に関する。」（１頁右下欄８〜１２行）
　
　イ　「【課題を解決するための手段】
　　上記目的を達成するため，本発明の３次元形状の表示方法は，グラフィック・ディスプレイ上に，３次元形状からなる図形等の表示方法において，
上記図形等の基本となるイメージデータを記憶する手段と，上記基本となるイメージデータに対応する画面の横方向，縦方向，手前方向の軸からなる基本の方向指定チップ，及び該基本の方向指定チップとは異なる複数の方向指定チップを記憶する手段とを備え，上記方向指定チップの全てを読み出して画面上に表示すると共に，上記方向指定チップは方向別に求められる４面を色分けしてカラー表示し，これら方向指定チップの中から所望の方向指定チップを指定することにより指定した方向指定チップに対応する図形等のイメージデータを画面上に生成表示するものである。」（２頁右上欄１１行〜左下欄９行）
　　
　ウ　「上記実施例では，全ての方向指定チップと，指定した方向指定チップに対応するイメージデータとを画面上に同時に表示しているが，例えば方向指定チップとこれに対応するイメージデータとを複数対同時に表示できるようにしてもよい。」（３頁左下欄９〜１４行）　
　
　同じく原査定の拒絶の理由に引用された特開平４−１９５４７４号公報（以下「引用例２」という。）には，次の各事項が記載されている。
　
　エ　「〔産業上の利用分野〕
　　本発明は，組立品設計ＣＡＤシステムに関し，特に，組立物の設計を支援できるＣＡＤシステムにおいて，２次元形状データと３次元形状データとを統合して扱える組立品設計ＣＡＤシステムに関するものである。」（１頁２〜７行）
　
　オ　〔従来の技術〕
　　「従来から，３次元の形状モデルを扱えるＣＡＤシステムが数多く開発されている。これらのシステムでは，３次元形状を任意の方向から見た図を表示できる領域（３次元ビューと称する）と，２次元形状を表示できる領域（２次元ビューと称する）をグラフィックディスプレイ装置の画面上に設定し，２次元形状から３次元形状への変換処理，あるいは，３次元形状から２次元形状への変換処理を効率よく実行できるための工夫がなされている。また，この場合，２次元ビューも３次元形状の投影画像を表示できるようにして，２次元形状と３次元形状を混在させて操作できるように構成したシステムが開発されている。」（１頁右下欄８行〜２頁左上欄１行）
　
　カ　「グラフィックディスプレイ２は，表示画面に複数のウインドウが開かれ，それぞれのウインドウに部品の２次元形状を表示する２次元ビューと，部品の３次元形状を表示する３次元ビューとが割り付けられる。」（３頁左下欄１６行〜末行）
　
４　対比
（１）引用例１に記載された発明（以下「引用発明１」という。）は，「３次元形状の表示方法」に係る発明であり，本願発明と同じ技術分野に属するものである。
　引用発明１は，「グラフィック・ディスプレイ上の立体図（空間図形）を，投影法をもって多方向の平面図形に変換し，これを表示する３次元形状の表示方法」（前掲ア）において，「図形等の基本となるイメージデータを記憶する手段」（前掲イ）を備えていることから，本願発明の「表示画面上に，あらかじめ登録された複数の投影面を表示する投影面表示手段」及び「投影面に基づき，所望の３次元図形を２次元図形へ投影変換する投影変換手段」に相当する手段を備えていることが理解できる。
　さらに引用発明１の「方向指定チップ」は，「基本となるイメージデータに対応する画面の横方向，縦方向，手前方向の軸からなる基本の方向指定チップ，及び該基本の方向指定チップとは異なる複数の方向指定チップを記憶する手段」（前掲イ）を備えているから，本願発明の「表示された複数の投影面から１つの投影面を指示する投影面指示手段」に相当する。
　また，引用例１には，「全ての方向指定チップと，指定した方向指定チップに対応するイメージデータとを画面上に同時に表示しているが，例えば方向指定チップとこれに対応するイメージデータとを複数対同時に表示できるようにしてもよい。」（前掲ウ）との記載があり，イメージデータが図形を意味することは明らかであることから，本願発明と同様，複数の投影面と投影変換された図形を同じ画面上に表示していることが認められる。
　
（２）以上を踏まえると，本願発明と引用発明１とは次の一致点，相違点が認められる。
　ア　一致点
　　表示画面上に，あらかじめ登録された複数の投影面を表示する投影面表示手段と，表示された複数の投影面から１つの投影面を指示する投影面指示手段と，指示された投影面に基づき，所望の３次元図形を２次元図形へ投影変換する投影変換手段と，投影変換元として指示する３次元図形及び該複数の投影面と，投影変換された２次元図形を表示する投影図表示手段とを有することを特徴とする図形処理装置。
  　
　イ　相違点
　　本願発明が投影変換元として指示する３次元図形及び複数の投影面とともに，投影変換された２次元図形を，表示画面上の異なる領域に表示するのに対し，引用発明１ではかかる構成を備えていない点。
　
（３）当審の判断
　一つの画面上に複数の図形を表示することは，引用例１にも「例えば方向指定チップとこれに対応するイメージデータとを複数対同時に表示できるようにしてもよい」（前掲ウ）とあるように，本願出願時点において当業者に自明の技術である。
　そして，本願発明と同じ技術分野に属する前記引用例２には，２次元と３次元の両者を扱うＣＡＤシステムの発明が記載されており，本願出願時点では，「２次元ビューも３次元形状の投影画像を表示できるようにして，２次元形状と３次元形状を混在させて操作できるように構成したシステムが開発されている」（前掲オ）ことが示され，さらに，該引用例２には「表示画面に複数のウインドウが開かれ，それぞれのウインドウに部品の２次元形状を表示する２次元ビューと，部品の３次元形状を表示する３次元ビューとが割り付けられる」（前掲カ）との開示もある。
　そうすると，表示画面上の異なる領域に３次元図形と２次元図形を表示することは，当業者が適宜採用し得る技術と認められ，当該事項を引用発明１
に適用して本願発明に想到することは，当業者であれば容易にできたものと認められ，かつ，本願発明に当業者の予測を超える格別顕著な効果も認められない。
　
５　むすび
　以上のとおり，本願発明は，引用例１及び２に記載された発明に基づいて当業者が容易に発明をすることができたものであり，特許法２９条２項の規定により特許を受けることができないから，他の請求項記載の発明について論ずるまでもなく本願は拒絶すべきものである。
　よって，結論のとおり審決する。